(57)【特許請求の範囲】
【請求項１】
読取対象物に情報コードとして付された一次元コードを撮像可能な撮像部と、前記撮像部を収容するケースと、を備えた情報コード読取装置であって、
前記ケースは、
前記情報コードからの光を当該ケースの内部に導入可能な読取口が先端部に形成されたヘッド部と、
前記ヘッド部に連結されて所定の延出方向に延びるグリップ部と、
を備え、
前記ヘッド部内の収容空間と、前記グリップ部内の収容空間とが連通して構成され、前記グリップ部側から前記ヘッド部側に延びる構成で、少なくとも前記撮像部を実装する回路基板が配置されており、
前記ヘッド部の前記読取口は、前記延出方向と交差する所定の横方向に広がる開口部として構成されており、
前記ヘッド部は、前記横方向及び前記延出方向と直交する方向を上下方向とした場合、前記先端部側となるにつれて前記上下方向の厚さが小さくなる先細り形状として形成され、
前記撮像部は、前記ヘッド部の前記先端部側を前記読取対象物に接触又は近接させた状態で前記読取口を介して前記一次元コードを撮像可能に、前記横方向に延びるラインセンサとして構成され、
前記グリップ部には、前記延出方向と直交する断面の外縁形状が円形状又は楕円形状のいずれかの形状となる領域が続く把持対象部が設けられ、
前記把持対象部は、前記上下方向の厚さが前記ヘッド部の前記先端部側の厚さよりも大きくなるように形成され、
前記回路基板は、前記グリップ部内の収容空間と前記ヘッド部内の収容空間とに跨る構成で配置されており、
前記撮像部は、前記ヘッド部内に配置されていることを特徴とする情報コード読取装置。
【請求項２】
読取対象物に情報コードとして付された一次元コードを撮像可能な撮像部と、前記撮像部を収容するケースと、を備えた情報コード読取装置であって、
前記ケースは、
前記情報コードからの光を当該ケースの内部に導入可能な読取口が先端部に形成されたヘッド部と、
前記ヘッド部に連結されて所定の延出方向に延びるグリップ部と、
を備え、
前記ヘッド部内の収容空間と、前記グリップ部内の収容空間とが連通して構成され、前記グリップ部側から前記ヘッド部側に延びる構成で、少なくとも前記撮像部を実装する回路基板が配置されており、
前記ヘッド部の前記読取口は、前記延出方向と交差する所定の横方向に広がる開口部として構成されており、
前記ヘッド部は、前記横方向及び前記延出方向と直交する方向を上下方向とした場合、前記先端部側となるにつれて前記上下方向の厚さが小さくなる先細り形状として形成され、
前記撮像部は、前記ヘッド部の前記先端部側を前記読取対象物に接触又は近接させた状態で前記読取口を介して前記一次元コードを撮像可能に、前記横方向に延びるラインセンサとして構成され、
前記グリップ部には、前記延出方向と直交する断面の外縁形状が、前記横方向の長さと縦方向の長さとが同一となる断面外縁形状又は前記横方向の長さが縦方向の長さよりも小さくなる断面外縁形状のいずれかの形状となり、且つ当該いずれかの形状が前記延出方向に続く把持対象部が設けられ、
前記把持対象部は、前記上下方向の厚さが前記ヘッド部の前記先端部側の厚さよりも大きくなるように形成され、
前記回路基板は、前記グリップ部内の収容空間と前記ヘッド部内の収容空間とに跨る構成で配置されており、
前記撮像部は、前記ヘッド部内に配置されていることを特徴とする情報コード読取装置。
【請求項３】
前記ラインセンサは、前記ヘッド部内の収容空間において前記グリップ部の上下方向中心位置よりも上位置に設けられていることを特徴とする請求項１又は２に記載の情報コード読取装置。
【請求項４】
前記把持対象部は、少なくとも前記グリップ部における前記延出方向の中心位置よりも前記ヘッド部寄りの範囲にわたって設けられていることを特徴とする請求項１から請求項３のいずれか一項に記載の情報コード読取装置。
【請求項５】
前記グリップ部における前記延出方向の全領域において、当該グリップ部の前記横方向の幅が、前記読取口の前記横方向の幅よりも小さくなっていることを特徴とする請求項１から請求項４のいずれか一項に記載の情報コード読取装置。
【請求項６】
前記グリップ部は、前記延出方向における当該グリップ部の中央部よりも前記ヘッド部寄りの位置に、前記中央部よりも前記横方向の幅が狭い絞り部が設けられていることを特徴とする請求項１から請求項５のいずれか一項に記載の情報コード読取装置。
【請求項７】
前記把持対象部の厚さが、前記ヘッド部の先端部の厚さよりも大きくなっていることを特徴とする請求項１から請求項６のいずれか一項に記載の情報コード読取装置。
【請求項８】
前記ヘッド部が延びる所定方向と、前記グリップ部が延びる前記延出方向とのなす角度が直角又は鈍角であることを特徴とする請求項１から請求項７のいずれか一項に記載の情報コード読取装置。
【請求項９】
前記グリップ部の長さが、前記ヘッド部の長さよりも大きいことを特徴とする請求項１から請求項８のいずれか一項に記載の情報コード読取装置。
【請求項１０】
少なくとも前記グリップ部における前記ヘッド部寄りの位置に、トリガボタンが設けられていることを特徴とする請求項１から請求項９のいずれか一項に記載の情報コード読取装置。
【請求項１１】
前記グリップ部における前記ヘッド部とは反対側の先端部寄りに柔軟部材が配置されており、
当該情報コード読取装置が所定平面上に載置された場合に、前記ヘッド部の先端部と前記柔軟部材とが前記所定平面に接触するように配置されることを特徴とする請求項１から請求項１０のいずれか一項に記載の情報コード読取装置。
【請求項１２】
前記グリップ部は、ケーブルの一部を収容する収容部を備えると共に前記収容部の一方側が開口してなる本体部と、前記本体部における前記収容部の開口を開閉する開閉部材と、を備え、
前記開閉部材が前記収容部の開口を閉塞している閉塞状態のときに、前記ケーブルが前記本体部と前記開閉部材との間に挟まれて保持され、前記開閉部材が前記収容部の開口を閉塞していない開放状態のときに、前記本体部及び前記開閉部材による前記ケーブルの挟み込みが解除される構成であることを特徴とする請求項１から請求項１１のいずれか一項に記載の情報コード読取装置。
【発明の詳細な説明】
【技術分野】
【０００１】
本発明は、情報コード読取装置に関するものである。
【背景技術】
【０００２】
従来から提供されている情報コード読取装置は、ケースの一端側に読取口が形成され、読取口側とは反対側の領域を把持領域として用いる構成が一般的となっている。特許文献１には、このような情報コード読取装置に関する例がいくつか開示されており、例えば、図１には、いわゆる首折れ型のバーコードスキャナが例示されている。
【０００３】
引用文献１の図１で例示されるバーコードスキャナは、首折れ型のタッチ式（接触式）コードスキャナとなっている。このコードスキャナ１は、図６等で開示されるように握り部（トリガスイッチ４より後方側）内の収容空間と、ヘッド部（トリガスイッチ４より前方側）内の収容空間とが連通しており、収容空間内には握り部側からヘッド部側に延びる構成で回路基板１５が収容されている。そして、この回路基板１５には、撮像センサ１１などが実装されている。
【先行技術文献】
【特許文献】
【０００４】
【特許文献１】特許第４０４７４５２号公報
【発明の概要】
【発明が解決しようとする課題】
【０００５】
ところで、引用文献１の図１のようなタッチ式の読取装置、或いはこれに類する装置では、情報コードが付された読取対象物を読取口付近に接触或いは近接させて読み取ることが想定されるため、このような装置近傍位置に配置された情報コードが視野範囲に収まるように撮像部やその他の関連部品を構成しておく必要がある。そのためには、撮像部を読取口からある程度離して配置しなければならず、このような事情から、引用文献１の図６のような構成（即ち、グリップ部内に撮像部を配置する構成）が採用されていた。
【０００６】
このように、撮像部をグリップ部内に配置する構成では、撮像部のサイズや関連部品の配置がグリップ部の構成に大きな影響を及ぼすため、引用文献１の図１のようにグリップ部が幅広の構成とならざるを得なかった。しかしながら、このような幅広のグリップ部では、本願の図１３、図１４で示すようなつかみ持ち、或いは本願の図１５で示すような被せ持ちを強いることになり、このような持ち方が、安定性の低下や操作性の低下を招いていた。
【０００７】
本発明は、上述した課題を解決するためになされたものであり、所定構造の首折れ型の情報コード読取装置において、把持時の安定性を高めることができ、且つ読取口を様々な方向に向ける際に操作を良好に行いやすい構成を提供することを目的とする。
【課題を解決するための手段】
【０００８】
第１の発明は、読取対象物に情報コードとして付された一次元コードを撮像可能な撮像部と、前記撮像部を収容するケースと、を備えた情報コード読取装置であって、
前記ケースは、
前記情報コードからの光を当該ケースの内部に導入可能な読取口が先端部に形成されたヘッド部と、
前記ヘッド部に連結されて所定の延出方向に延びるグリップ部と、
を備え、
前記ヘッド部内の収容空間と、前記グリップ部内の収容空間とが連通して構成され、前記グリップ部側から前記ヘッド部側に延びる構成で、少なくとも前記撮像部を実装する回路基板が配置されており、
前記ヘッド部の前記読取口は、前記延出方向と交差する所定の横方向に広がる開口部として構成されており、
前記ヘッド部は、前記横方向及び前記延出方向と直交する方向を上下方向とした場合、前記先端部側となるにつれて前記上下方向の厚さが小さくなる先細り形状として形成され、
前記撮像部は、前記ヘッド部の前記先端部側を前記読取対象物に接触又は近接させた状態で前記読取口を介して前記一次元コードを撮像可能に、前記横方向に延びるラインセンサとして構成され、
前記グリップ部には、前記延出方向と直交する断面の外縁形状が円形状又は楕円形状のいずれかの形状となる領域が続く把持対象部が設けられ、
前記把持対象部は、前記上下方向の厚さが前記ヘッド部の前記先端部側の厚さよりも大きくなるように形成され、
前記回路基板は、前記グリップ部内の収容空間と前記ヘッド部内の収容空間とに跨る構成で配置されており、
前記撮像部は、前記ヘッド部内に配置されていることを特徴とする。
第２の発明は、読取対象物に情報コードとして付された一次元コードを撮像可能な撮像部と、前記撮像部を収容するケースと、を備えた情報コード読取装置であって、
前記ケースは、
前記情報コードからの光を当該ケースの内部に導入可能な読取口が先端部に形成されたヘッド部と、
前記ヘッド部に連結されて所定の延出方向に延びるグリップ部と、
を備え、
前記ヘッド部内の収容空間と、前記グリップ部内の収容空間とが連通して構成され、前記グリップ部側から前記ヘッド部側に延びる構成で、少なくとも前記撮像部を実装する回路基板が配置されており、
前記ヘッド部の前記読取口は、前記延出方向と交差する所定の横方向に広がる開口部として構成されており、
前記ヘッド部は、前記横方向及び前記延出方向と直交する方向を上下方向とした場合、前記先端部側となるにつれて前記上下方向の厚さが小さくなる先細り形状として形成され、
前記撮像部は、前記ヘッド部の前記先端部側を前記読取対象物に接触又は近接させた状態で前記読取口を介して前記一次元コードを撮像可能に、前記横方向に延びるラインセンサとして構成され、
前記グリップ部には、前記延出方向と直交する断面の外縁形状が、前記横方向の長さと縦方向の長さとが同一となる断面外縁形状又は前記横方向の長さが縦方向の長さよりも小さくなる断面外縁形状のいずれかの形状となり、且つ当該いずれかの形状が前記延出方向に続く把持対象部が設けられ、
前記把持対象部は、前記上下方向の厚さが前記ヘッド部の前記先端部側の厚さよりも大きくなるように形成され、
前記回路基板は、前記グリップ部内の収容空間と前記ヘッド部内の収容空間とに跨る構成で配置されており、
前記撮像部は、前記ヘッド部内に配置されていることを特徴とする。
【発明の効果】
【０００９】
請求項１の発明は、ヘッド部内の収容空間と、グリップ部内の収容空間とが連通して構成され、グリップ部側からヘッド部側に延びる構成で、少なくとも撮像部を実装する回路基板が配置されるような特定構造の首折れ型装置において、グリップ部を安定的に握りやすく且つグリップ部を握った状態で様々な向きに操作しやすい構成を実現できる。特に、把持対象部は、断面が円形状又は楕円形状となる領域が続く構成となっているため、掌をあまり横に広げすぎずにグリップ部をしっかりと持ちやすくなる。また、掌を横に広げすぎたまま操作しなくても済むため、手首の可動域を広げやすくなり、様々な向きに操作しやすくなる。
【００１０】
請求項２の発明は、ヘッド部内の収容空間と、グリップ部内の収容空間とが連通して構成され、グリップ部側からヘッド部側に延びる構成で、少なくとも撮像部を実装する回路基板が配置されるような特定構造の首折れ型装置において、グリップ部を安定的に握りやすく且つグリップ部を握った状態で様々な向きに操作しやすい構成を実現できる。特に、把持対象部は、延出方向（グリップ部が延びる方向）と直交する断面の外縁形状が「横方向の長さと縦方向の長さとが同一となる断面外縁形状」又は「横方向の長さが縦方向の長さよりも小さくなる断面外縁形状」のいずれかの形状となり、この「いずれかの形状」が延出方向に続く構成となっているため、この領域では、掌をあまり横に広げすぎずにグリップ部をしっかりと持ちやすくなる。また、掌を横に広げすぎたまま操作しなくても済むため、手首の可動域を広げやすくなり、様々な向きに操作しやすくなる。
【００１１】
請求項１，２の発明では、前記回路基板は、前記グリップ部内の収容空間と前記ヘッド部内の収容空間とに跨る構成で配置されており、前記撮像部は、前記ヘッド部内に配置されている。
この構成によれば、グリップ部を構成する上で、撮像部の大きさや配置による影響を極力小さくすることができ、グリップ部をより望ましい形状（握りの安定性及び操作性を高めやすい形状）に構成しやすくなる。
【００１２】
請求項３の発明では、前記撮像部は、前記横方向に延びるラインセンサからなり、前記ラインセンサは、前記横方向及び前記延出方向と直交する方向を上下方向とした場合、前記ヘッド部内の収容空間において前記グリップ部の上下方向中心位置よりも上位置に設けられている。
撮像部として横方向に延びるラインセンサを採用する場合、グリップ部内に収容してしまうとグリップ部が横広にならざるを得ないが、ヘッド部内に配置すれば、グリップ部が横長のラインセンサの影響を受けにくくなり、グリップ部をより望ましい形状（握りの安定性及び操作性を高めやすい形状）に構成しやすくなる。更に、ラインセンサを、グリップ部の上下方向中心位置よりも上位置に設けるようにしておけば、読取口からラインセンサまでの距離を確保しやすくなり、読取口近傍において視野範囲を広く確保しやすくなる。
【００１３】
請求項４の発明では、前記把持対象部は、少なくとも前記グリップ部における前記延出方向の中心位置よりも前記ヘッド部寄りの範囲にわたって設けられている。
このようにヘッド部寄りの位置が特徴的な構成となっていれば、グリップ部においてヘッド部に近い基端部側の領域が安定的に握りやすくなり、少なくともこの位置を持ったときに操作しやすくなる。
【００１４】
請求項５の発明では、前記グリップ部における前記延出方向の全領域において、当該グリップ部の前記横方向の幅が、前記読取口の前記横方向の幅よりも小さくなっている。
このようにグリップ部の全体の幅を相対的に小さくすることで、グリップ部全体が持ちやすくなる。
【００１５】
請求項６の発明では、前記グリップ部は、前記延出方向における当該グリップ部の中央部よりも前記ヘッド部寄りの位置に、前記中央部よりも前記横方向の幅が狭い絞り部が設けられている。
この構成によれば、ヘッド部に近い位置に幅をより小さく絞った部分を設けることができるため、この部分の把持の安定性をより高めることができる。しかも、両側部において大きな窪みを設けることができるため、装置の側部が壁に近接して配置されるような場合でも、窪みの部分では壁との接触を回避することができ、このような場合での取りやすさをも高めることができる。
【００１６】
請求項７の発明では、前記把持対象部の厚さが、前記ヘッド部の先端部の厚さよりも大きくなっている。
このように把持対象部を厚みのある構成とすることで、握りやすさをより高めることができる。
【００１７】
請求項８の発明では、前記ヘッド部が延びる所定方向と、前記グリップ部が延びる前記延出方向とのなす角度が直角又は鈍角である。
このような角度関係とすれば、読取口を様々な場所に向ける操作がより行いやすくなる。
【００１８】
請求項９の発明では、前記グリップ部の長さが、前記ヘッド部の長さよりも大きくなっている。
このような長さ関係とすれば、握りやすさをより高めることができる。
【００１９】
請求項１０の発明では、少なくとも前記グリップ部における前記ヘッド部寄りの位置に、トリガボタンが設けられている。
このようにトリガボタンが設けられた構成においてグリップ部に特徴的な把持対象部が構成されていれば、握り易さや操作性の向上に加え、トリガボタンの押し易さも向上する。
【００２０】
請求項１１の発明では、前記グリップ部における前記ヘッド部とは反対側の先端部寄りに柔軟部材が配置されており、当該情報コード読取装置が所定平面上に載置された場合に、前記ヘッド部の先端部と前記柔軟部材とが前記所定平面に接触するように配置される。
このように柔軟部材が配置されていれば、グリップ部の端部を衝撃などから効果的に保護することができ、且つ、装置を平坦部に置くような場合には、装置をより安定的に載置しておくことができる。
【００２１】
請求項１２の発明では、前記グリップ部は、ケーブルの一部を収容する収容部を備えると共に前記収容部の一方側が開口してなる本体部と、前記本体部における前記収容部の開口を開閉する開閉部材と、を備え、前記開閉部材が前記収容部の開口を閉塞している閉塞状態のときに、前記ケーブルが前記本体部と前記開閉部材との間に挟まれて保持され、前記開閉部材が前記収容部の開口を閉塞していない開放状態のときに、前記本体部及び前記開閉部材による前記ケーブルの挟み込みが解除される構成である。
このようにすることで、ケーブルを安定的にグリップ部に固定しておくことができる。更に、ケーブルを保持する部分の一部が開閉部材として構成されているため、ケーブルの着脱が行いやすくなり、ケーブルを保持する部分（開閉部材）に破損等が生じても、一部部品の交換で済ませやすくなる。
【図面の簡単な説明】
【００２２】
【図１】図１は、第１実施形態に係る情報コード読取装置を概略的に例示する斜視図である。
【図２】図２は、図１の情報コード読み取り装置を図１とは異なる方向から見た斜視図である。
【図３】図３は、図１の情報コード読取装置の断面を概略的に示す断面概略図である。
【図４】図４は、図１の情報コード読取装置の電気的構成を例示するブロック図である。
【図５】図５は、図１の情報コード読取装置の平面図である。
【図６】図６は、図１の情報コード読取装置の側面図である。
【図７】図７は、図１の情報コード読取装置の底面図である。
【図８】図８は、図１の情報コード読取装置の正面図である。
【図９】図９（Ａ）は、図１の情報コード読取装置の背面図であり、図９（Ｂ）は、図６のＡ−Ａ断面を概略的に示す断面概略図である。
【図１０】図１０（Ａ）は、図６のＢ−Ｂ断面を概略的に示す断面概略図であり、図１０（Ｂ）は、図６のＣ−Ｃ断面を概略的に示す断面概略図である。
【図１１】図１１（Ａ）は、図６のＤ−Ｄ断面を概略的に示す断面概略図であり、図１１（Ｂ）は、図６のＥ−Ｅ断面を概略的に示す断面概略図である。
【図１２】図１２は、図１等で示す情報コード読取装置のグリップ部の領域と、その領域を握ったときの使用者の手との関係を説明する説明図である。
【図１３】図１３は、従来の首折れ型読取装置の掴み持ちの様子を説明する説明図である。
【図１４】図１４（Ａ）は、掴み持ちを側方から見た様子を示す説明図であり、図１４（Ｂ）は、その首折れ型読取装置のグリップ部の領域と、握ったときの使用者の手との関係を説明する説明図である。
【図１５】図１５は、従来の首折れ型読取装置の被せ持ちの様子を説明する説明図である。
【図１６】図１６は、従来の首折れ型読取装置を操作する様子を説明する説明図である。
【図１７】図１７は、第２実施形態に係る情報コード読取装置を概略的に例示する斜視図である。
【図１８】図１８は、図１７の情報コード読取装置の側面図である。
【図１９】図１９は、図１７の情報コード読取装置の底面図である。
【図２０】図２０は、他の実施形態に係る情報コード読取装置の一部を概略的に例示する斜視図である。
【発明を実施するための形態】
【００２３】
[第１実施形態]
以下、本発明を具現化した第１実施形態について、図面を参照して説明する。
（情報コード読取装置の概要）
まず、図１〜図４等を参照し、情報コード読取装置１の概要について説明する。図１、図２等で示す情報コード読取装置（以下、単に読取装置ともいう）１は、情報コードを撮像可能な撮像部２３がケース３の内部に収容されると共に、ケース３の一端部にケーブル９が連結された構成となっている。ケース３は、ＡＢＳ樹脂等の合成樹脂材料により形成される上側ケース３ａおよび下側ケース３ｂが組み付けられて構成され、全体として折れ曲がり形状となっており、情報コードからの光を当該ケース３の内部に導入可能な読取口４が形成されたヘッド部５と、ヘッド部５に連結されて所定の延出方向に延びるグリップ部６とを備えている。
【００２４】
なお、本明細書では、グリップ部６が延びる方向（延出方向）を前後方向としている。また、前後方向と直交する方向であって且つ読取口４の開口が延びる方向と平行な方向を横方向（左右方向）としている。更に、前後方向及び横方向と直交する方向を縦方向（上下方向）としている。なお、図３、図５、図６等では、前後方向をＸ軸方向とし、上下方向をＹ軸方向とし、横方向（左右方向）をＺ軸方向として示している。
【００２５】
情報コード読取装置１は、例えば、バーコードなどの情報コードを読み取る機能を有しており、ヘッド部５の先端部を読取対象物に接触させた状態での読み取り（いわゆるタッチ読み）や、ヘッド部５の先端部を読取対象物に近接させた状態での読み取り（いわゆる近接読み）などを行うことができるように構成されている。
【００２６】
図４等で示すように、情報コード読取装置１は、主に、照明光源２１、撮像部２３、フィルタ２５、結像レンズ２７等の光学系と、メモリ３５、制御回路４０、操作部４２、ＬＥＤ４３、発音部４４等のマイクロコンピュータ（以下「マイコン」という）系とを備えている。そして、これらの一部又は全部が、図３で示す回路基板２０に実装されている。
【００２７】
光学系は、照明光源２１、撮像部２３、フィルタ２５、結像レンズ２７等から構成されている。照明光源２１は、照明光Ｌｆを発光可能な光源として機能するもので、例えば、赤色のＬＥＤとこのＬＥＤの出射側に設けられる拡散レンズ、集光レンズ等とから構成されている。本構成では、撮像部２３を挟んだ両側に照明光源２１が設けられており、ケースに形成された読取口４（図３等）を介して読取対象物Ｒに向けて照明光Ｌｆを照射可能に構成されている。この読取対象物Ｒとしては、例えば、紙、樹脂材料、金属材料等の様々な対象が考えられ、このような読取対象物Ｒに情報コードＣが印刷、ダイレクトマーキングなどによって形成されている。なお、情報コードＣとしては、例えば、バーコード等の一次元コードを好適に用いることができる。
【００２８】
撮像部２３は、読取対象物Ｒや情報コードＣに照射されて反射した反射光Ｌｒを受光可能な受光センサによって構成されている。この撮像部２３は、例えばラインセンサとして構成されており、Ｃ−ＭＯＳやＣＣＤ等の固体撮像素子からなる受光素子を横方向に直線状に並べて配列した構成となっている。この撮像部２３は、結像レンズ２７を介して入射する入射光を受光面２３ａで受光し得るように、図３で示す回路基板２０に実装されている。
【００２９】
フィルタ２５は、反射光Ｌｒの波長相当以下の光の通過を許容し、当該波長相当を超える光の通過を遮断し得る光学的なローパスフィルタであり、ケース３に形成された読取口４と結像レンズ２７との間に設けられている。これにより、反射光Ｌｒの波長相当を超える不要な光が撮像部２３に入射することを抑制している。また、結像レンズ２７は、読取口４を介して入射する光を集光するように機能するものであり、撮像部２３の視野範囲内に情報コードＣが配置された場合には、撮像部２３の受光面２３ａにこの情報コードＣのコード画像を結像するように構成されている。
【００３０】
マイコン系は、増幅回路３１、Ａ／Ｄ変換回路３３、メモリ３５、アドレス発生回路３６、同期信号発生回路３８、制御回路４０、操作部４２、ＬＥＤ４３、発音部４４、通信インタフェース４８等から構成されている。このマイコン系は、マイコン（情報処理装置）として機能し得る制御回路４０及びメモリ３５を中心として構成され、前述した光学系によって撮像された情報コードＣの画像信号をハードウェア的およびソフトウェア的に信号処理し得るものである。
【００３１】
光学系の撮像部２３から出力される画像信号（アナログ信号）は、増幅回路３１に入力されることで所定ゲインで増幅された後、Ａ／Ｄ変換回路３３に入力され、アナログ信号からディジタル信号に変換される。そして、ディジタル化された画像信号、つまり画像データ（画像情報）は、メモリ３５に入力され、当該メモリ３５の画像データ蓄積領域に蓄積される。なお、同期信号発生回路３８は、撮像部２３およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００３２】
メモリ３５は、半導体メモリ装置等によって構成されており、例えばＲＡＭ（ＤＲＡＭ、ＳＲＡＭ等）やＲＯＭ（ＥＰＲＯＭ、ＥＥＰＲＯＭ等）などがこれに相当する。このメモリ３５のうちのＲＡＭには、前述した画像データ蓄積領域のほかに、制御回路４０が算術演算や論理演算等の各処理時に利用する作業領域や読取条件テーブルも確保可能に構成されている。またＲＯＭには、読取処理等を実行可能な所定プログラムやその他、照明光源２１、撮像部２３等の各ハードウェアを制御可能なシステムプログラム等が予め格納されている。
【００３３】
制御回路４０は、情報コード読取装置１を全体的に制御可能なマイコンで、ＣＰＵ、システムバス、入出力インタフェース等からなるものであり、情報処理機能を有している。この制御回路４０には、内蔵された入出力インタフェースを介して種々の入出力装置（周辺装置）が接続されており、図４の例では、操作部４２、ＬＥＤ４３、発音部４４、通信インタフェース４８等が接続されている。また、通信インタフェース４８には、情報コード読取装置１の上位システムに相当するホストコンピュータＨＳＴなどを接続できるようになっている。図１等で示す例では、情報コード読取装置１と外部装置（ホストコンピュータＨＳＴなど）とがケーブル９を介して接続されるようになっており、ケーブル９によって、電力やデータが伝送されるようになっている。
【００３４】
（ヘッド部及びグリップ部等の詳細構成）
次に、ヘッド部５、グリップ部６等の詳細な構成について説明する。
図１、図２等で示すように、情報コード読取装置１の外殻をなすケース３は、情報コードからの光を当該ケース３の内部に導入可能な読取口４（図３等）が形成されたヘッド部５と、ヘッド部５に連結されて所定の延出方向（前後方向）に延びるグリップ部６とを備えている。そして、図３のように、ヘッド部５内の収容空間と、グリップ部６内の収容空間とが連通した構成となっており、グリップ部６側からヘッド部５側に延びる構成で、撮像部２３などを実装する回路基板２０が配置されている。
【００３５】
回路基板２０は、図３のようにグリップ部６内の収容空間とヘッド部５内の収容空間とに跨る構成で配置されており、グリップ部６の延出方向（前後方向）に対して所定角度で傾いた配置構造となっている。この回路基板２０は、具体的には、一方の板面が上方側且つ後方側に斜めに向いており、他方の板面が下方側且つ前方側に斜めに向いており、前方側となるにつれて上方位置となるように傾いている。そして、回路基板２０の前端部寄りの位置には、上述した撮像部２３（ラインセンサ）が横長に配置されている。この撮像部２３（ラインセンサ）は、ヘッド部５内において横方向（左右方向であり、図５等で示すＺ軸方向）に延びた構成且つ受光面２３ａが読取口４側を向いた構成（即ち、下方側且つ前方側を向いた構成）で配置されている。そして、撮像部２３（ラインセンサ）は、ヘッド部５内の収容空間においてグリップ部６の上下方向中心位置（図３で示す一点鎖線Ｌ１の位置）よりも上位置に設けられている。
【００３６】
図１、図２、図３、図６等で示すように、ヘッド部５は、グリップ部６の前端部に連続的に連結され、このグリップ部６の前端部から前方側且つ下方側に斜めに延びている。そして、ヘッド部５は、図６のように側面視したときの外形形状が、先端部側となるにつれて厚さが小さくなる先細り形状となっている。なお、本構成では、図６のように側面視したときのケース３の下面外縁と直交する方向を厚さ方向と定義する。このように延びるヘッド部５の先端部には、図３、図７のように、横方向に広い開口部として構成された読取口４が設けられている。図３のように、ヘッド部５は、内部に収容空間が構成される中空の筒状構造となっており、ヘッド部５内の空間は、グリップ部６との境界位置Ｐ１を基点として、前側且つ下側に斜めに延びるように構成されている。このように構成される収容空間の前端位置付近に読取口４が形成されている。
【００３７】
図５、図７、図８等で示すように、ヘッド部５は、先端側となるにつれて横方向（Ｚ軸方向）の幅が広くなる先広がり形状となっており、先端部付近には、幅が最も広い部分（最大幅部）が設けられている。ヘッド部５は、この最大幅部からグリップ部６側に近づくにつれて徐々に幅が狭くなっている。なお、図５では、最大幅部の幅をＷ１で示しており、最大幅部の位置から位置Ｐ１に至るまで、幅が増加せずに連続的に減少する構成となっている。
【００３８】
図３、図５、図６、図７で示すように、グリップ部６は、ヘッド部５の上端部付近且つ後端部付近から後方側に直線状に延びている。このグリップ部６も、内部に収容空間が構成される中空の筒状構造となっており、グリップ部６内の収容空間には、上述した回路基板２０の大部分が配置されている。
【００３９】
本構成では、図５のように、最大幅部を基点として後方側となるにつれてヘッド部５の幅が次第に狭くなっており、図５のように平面視したときのヘッド部５の外形の幅が最大幅部の幅Ｗ１の１／２となる位置Ｐ１をヘッド部５とグリップ部６との境界として定義する。二点鎖線Ｐ１は、ヘッド部５とグリップ部６との境界となる仮想平面（ＺＹ平面と平行な面）の位置を概念的に示しており、図３、図５、図６では、このような位置Ｐ１をそれぞれ二点鎖線にて概念的に示している。更に、グリップ部６の前後方向中心位置を二点鎖線Ｐ２で概念的に示している。この二点鎖線Ｐ２は、前後方向において、位置Ｐ１とグリップ部６の後端部６ｃとの間の前後方向の領域を二等分する中心位置であり、二点鎖線Ｐ２は、このような中心位置となる仮想平面（ＺＹ平面と平行な面）を概念的に示している。そして、図６のように、グリップ部６における位置Ｐ１での上下方向中心位置（位置Ｐ１における上端部Ｍ１と下端部Ｍ２との間の上下方向中心位置Ｍ３）と、位置Ｐ２での上下方向中心位置（位置Ｐ２における上端部Ｎ１と下端部Ｎ２との間の上下方向中心位置Ｎ３）を通る線がＬ１であり、このＬ１の方向を延出方向（前後方向）としている。
【００４０】
このように構成されるグリップ部６には、延出方向（Ｘ軸方向として示す前後方向）と直交する断面（即ち、ＹＺ平面と平行な断面）の外縁形状が円形状又は楕円形状のいずれかの形状となる領域が続く把持対象部７が設けられている。把持対象部７は、少なくともグリップ部６における延出方向の中心位置よりもヘッド部５寄りの範囲にわたって設けられていることが望ましく、図６等で示す例では、グリップ部６の全領域が把持対象部７として機能している。そして、グリップ部６のどの位置で切断した断面でも、外縁形状が円形状又は楕円形状のいずれかの形状となっている。例えば、図９（Ｂ）で示すＡ−Ａ断面では、グリップ部６の外縁形状が円形状となっており、図１０（Ａ）（Ｂ）で示すＢ−Ｂ断面、及びＣ−Ｃ断面では、グリップ部６の外縁形状が縦長の楕円形状となっている。また、図１１（Ａ）（Ｂ）で示すＤ−Ｄ断面、及びＥ−Ｅ断面でも、グリップ部６の外縁形状が縦長の楕円形状となっている。
【００４１】
この把持対象部７は、延出方向（Ｘ軸方向として示す前後方向）と直交する断面（即ち、上下方向及び左右方向と平行な断面）の外縁形状が、「横方向の長さと縦方向の長さとが同一となる断面外縁形状」又は「横方向の長さが縦方向の長さよりも小さくなる断面外縁形状」のいずれかの形状となり、この「いずれかの形状」が延出方向の所定範囲にわたって続く構成となっている。例えば、図９（Ｂ）のように、把持対象部７における境界Ｐ１寄りのＡ−Ａ断面の断面外縁形状は、横方向の長さＬｚ１と縦方向の長さＬｙ１とがほぼ同一又は縦方向が僅かに長い断面外縁形状となっており、このＡ−Ａ断面よりも後方のＢ−Ｂ断面の断面外縁形状は、横方向の長さＬｚ２よりも縦方向の長さＬｙ２の方が大きい縦長の断面外縁形状となっている。また、このＢ−Ｂ断面よりも後方のＣ−Ｃ断面の断面外縁形状は、横方向の長さＬｚ３よりも縦方向の長さＬｙ３の方が大きい縦長の断面外縁形状となっており、このＣ−Ｃ断面よりも後方のＤ−Ｄ断面の断面外縁形状は、横方向の長さＬｚ４よりも縦方向の長さＬｙ４の方が大きい縦長の断面外研形状となっており、このＤ−Ｄ断面よりも後方のＥ−Ｅ断面の断面外縁形状は、横方向の長さＬｚ５よりも縦方向の長さＬｙ５の方が大きい縦長の断面外縁形状となっている。また、Ａ−Ａ断面、Ｂ−Ｂ断面、Ｃ−Ｃ断面、Ｄ−Ｄ断面、Ｅ−Ｅ断面以外の位置においても、断面外縁形状は、「横方向の長さと縦方向の長さとが同一となる断面外縁形状」又は「横方向の長さが縦方向の長さよりも小さくなる断面外縁形状」のいずれかの形状となっている。
【００４２】
また、図５のように、グリップ部６には、延出方向（前後方向）における当該グリップ部６の中央部（即ち、位置Ｐ２の部分）よりもヘッド部５寄りの位置に、この中央部よりも横方向の幅が狭い絞り部７ａが設けられている。本構成では、グリップ部６の前端位置Ｐ１から後方側となるにつれて徐々に幅が狭くなっており、このような漸減領域の後方に絞り部７ａが設けられている。漸減領域では、後方となるにつれて徐々に幅が狭くなるが、絞り部７ａの位置に達すると前後方向一定領域においてそれ以上の幅の減少が無くなるようになっている。そして、絞り部７ａの更に後方には、後方となるにつれて徐々に幅が大きくなる漸増領域が設けられており、このような漸増領域の後方に膨出部７ｂが設けられている。漸増領域では、後方となるにつれて徐々に幅が大きくなるが、膨出部７ｂの位置に達すると前後方向一定領域においてそれ以上の幅の増加が無くなるようになっている。そして、膨出部７ｂの更に後方には、後方となるにつれて徐々に幅が狭くなる漸減領域が設けられている。なお、図５では、絞り部７ａの幅をＷ２で示し、膨出部７ｂの幅をＷ３で示している。
【００４３】
本構成では、グリップ部６における延出方向（前後方向）の全領域において、当該グリップ部６の横方向の幅が、読取口４の横方向の幅よりも小さくなっている。より具体的には、グリップ部６における延出方向（前後方向）の全領域において、当該グリップ部６の横方向の幅が、読取口４の横方向の幅の５０％以下となっている。
【００４４】
また、把持対象部７の前後方向の過半領域或いは全領域において、厚さ（即ち、グリップ部６の厚さ）が、ヘッド部５の先端部の厚さよりも大きくなっている。少なくともヘッド部５の先端部側の過半領域において、ヘッド部５の厚さが把持対象部７の厚さ（即ち、グリップ部６の厚さ）よりも小さくなっている。
【００４５】
また、ヘッド部５が延びる所定方向と、グリップ部６が延びる延出方向（前後方向）とのなす角度が直角又は鈍角となっている。なお、ヘッド部５が延びる所定方向は、図６のように側面視したときにヘッド部５の先端部の下面が延びる方向としてもよく、図６のように側面視したときにヘッド部５の先端部の上面が延びる方向としてもよい。本構成では、図６のように側面視したときにヘッド部５の先端部の下面が延びる方向と、グリップ部６が延びる延出方向（前後方向）とのなす角度が直角又は鈍角（例えば、９０°〜１３５°の範囲内）となっており、図６のように側面視したときにヘッド部５の先端部の上面が延びる方向と、グリップ部６が延びる延出方向（前後方向）とのなす角度についても直角又は鈍角（例えば、９０°〜１３５°の範囲内）となっている。
【００４６】
グリップ部６の長さが、ヘッド部５の長さよりも大きくなっている。より具体的には、ヘッド部５の長さとグリップ部６の長さの比率が、例えば、２：３程度となっていると良い。また、グリップ部６の長さは、手の幅（例えば、一般成人男性又は一般成人女性の手の幅の平均値）よりも長いことが望ましい。
【００４７】
また、グリップ部６は、ケーブル９の一部を収容する収容部６ｄを備えると共に収容部６ｄの一方側が開口してなる本体部６ａと、本体部６ａにおける収容部６ｄの開口を開閉する開閉部材６ｂとを備えている。なお、本体部６ａは、上側ケース３ａと下側ケース３ｂの一部によって構成されており、開閉部材６ｂは、下側ケース３ｂにおける本体部６ａ以外の残余部分によって構成されている。そして、図３のように、開閉部材６ｂが収容部６ｄの開口を閉塞している閉塞状態のときに、ケーブル９が本体部６ａと開閉部材６ｂとの間に挟まれて保持され、開閉部材６ｂが収容部の開口を閉塞していない開放状態のとき（即ち、開閉部材６ｂが本体部６ａから取り外されたとき）には、本体部６ａ及び開閉部材６ｂによるケーブル９の挟み込みが解除される構成となっている。なお、図１１（Ａ）（Ｂ）で示すように、開閉部材６ｂは、本体部６ａ（グリップ部６における開閉部材６ｂ以外の部分）に対し、自身に設けられた一対の係合爪を係合させることで取り付けられるようになっており、この係合爪の係合を解除することで、開閉部材６ｂを本体部６ａから取り外すことができるようになっている。
【００４８】
（本構成の効果の例）
本構成では、ヘッド部５内の収容空間と、グリップ部６内の収容空間とが連通して構成され、グリップ部６側からヘッド部５側に延びる構成で、少なくとも撮像部２３を実装する回路基板２０が配置されるような特定構造の首折れ型装置となっている。そして、このような構造において、グリップ部６を安定的に握りやすく且つグリップ部６を握った状態で様々な向きに操作しやすい構成となっている。特に、把持対象部７は、断面が円形状又は楕円形状となる領域が続く構成となっており、更に、延出方向（グリップ部６が延びる方向）と直交する断面の外縁形状が、「横方向の長さと縦方向の長さとが同一となるような断面形状」又は「横方向の長さが縦方向の長さよりも小さくなるような断面形状」のいずれかの形状となり、且つこのような断面形状が延出方向に続く構成となっている。このように横幅が抑えられた構成となっているため、図１２で示す使用者の手Ｈ１のように、掌をあまり横に広げすぎずにグリップ部６（把持対象部７）をしっかりと持ちやすくなる。
【００４９】
例えば、図１３、図１４で示すような従来型の首折れ型読取装置１００では、グリップ部１０７が横に広いため、しっかりと握りにくく、図１３、図１４のような簡易な掴み持ち（指Ｆ１，Ｆ２でグリップ部１０７を挟み込むような持ち方）で対応してしまうことが多かったが、このような持ち方では、装置が不安定であり、滑ったりして落ちやすいといった問題があった。本構成では、このような持ち方を強制しなくても済み、より安定した持ち方での操作が可能となる。
【００５０】
また、図１３〜図１５で示すような従来型の首折れ型読取装置１００では、しっかりと持つ場合、図１５のように掌をある程度広げた状態での被せ持ちで対応しなければならず、この場合、手首の可動域が限定されやすかった。例えば、図１６のように、手を広げた被せ持ちで横向きの読み取りを行った後、矢印のように手を返して下向きや上向きに回転させようとしても、この握り方では、手首をそれほど回転しにくいため、読取口を上側や下側に向けるために無理な姿勢を取らざるをえなかった。本構成では、掌を横に広げすぎたまま操作しなくても済むため、手首の可動域を広げやすくなり、様々な向きに操作しやすくなる。
【００５１】
また、回路基板２０は、グリップ部６内の収容空間とヘッド部５内の収容空間とに跨る構成で配置されており、撮像部２３は、ヘッド部５内に配置されている。この構成によれば、グリップ部６を構成する上で、撮像部２３の大きさや配置による影響を極力小さくすることができ、グリップ部６をより望ましい形状（握りの安定性及び操作性を高めやすい形状）に構成しやすくなる。
【００５２】
また、撮像部２３は、横方向に延びるラインセンサからなり、このラインセンサは、横方向及び延出方向と直交する方向を上下方向とした場合、ヘッド部５内の収容空間においてグリップ部６の上下方向中心位置よりも上位置に設けられている。撮像部２３として横方向に延びるラインセンサを採用する場合、グリップ部６内に収容してしまうとグリップ部６が横広にならざるを得ないが、ヘッド部５内に配置すれば、グリップ部６が横長のラインセンサの影響を受けにくくなり、グリップ部６をより望ましい形状（握りの安定性及び操作性を高めやすい形状）に構成しやすくなる。更に、ラインセンサを、グリップ部６の上下方向中心位置よりも上位置に設けるようにしておけば、読取口４からラインセンサまでの距離を確保しやすくなり、読取口４近傍において視野範囲を広く確保しやすくなる。
【００５３】
また、把持対象部７は、少なくともグリップ部６における延出方向の中心位置よりもヘッド部５寄りの範囲にわたって設けられている。このようにヘッド部５寄りの位置が特徴的な構成となっていれば、グリップ部６においてヘッド部５に近い基端部側の領域が安定的に握りやすくなり、少なくともこの位置を持ったときに操作しやすくなる。
【００５４】
また、グリップ部６における延出方向の全領域において、当該グリップ部６の横方向の幅が、読取口４の横方向の幅よりも小さくなっている。このようにグリップ部６の全体の幅を相対的に小さくすることで、グリップ部６全体が持ちやすくなる。より具体的には、例えば、グリップ部６において最も幅の狭い部分の幅が、読取口４の横方向の幅の５０％以下であることが望ましい。
【００５５】
また、グリップ部６は、延出方向における当該グリップ部６の中央部よりもヘッド部５寄りの位置に、中央部よりも横方向の幅が狭い絞り部７ａが設けられている。この構成によれば、ヘッド部５に近い位置に幅をより小さく絞った部分を設けることができるため、この部分の把持の安定性をより高めることができる。しかも、両側部において大きな窪みを設けることができるため、装置の側部が壁に近接して配置されるような場合でも、窪みの部分では壁との接触を回避することができ、このような場合での取りやすさをも高めることができる。
【００５６】
また、把持対象部７の厚さが、ヘッド部５の先端部の厚さよりも大きくなっている。このように把持対象部７を厚みのある構成とすることで、握りやすさをより高めることができる。
【００５７】
また、ヘッド部５が延びる所定方向と、グリップ部６が延びる延出方向とのなす角度が直角又は鈍角となっている。このような角度関係とすれば、読取口４を様々な場所に向ける操作がより行いやすくなる。より具体的には、ヘッド部５が延びる所定方向と、グリップ部６が延びる延出方向とのなす角度は、例えば９０°〜１３５°の範囲内であることが望ましい。
【００５８】
また、グリップ部６の長さが、ヘッド部５の長さよりも大きくなっている。このような長さ関係とすれば、握りやすさをより高めることができる。より具体的には、ヘッド部の長さとグリップ部の長さの比率が、例えば、２：３程度となっていると良い。また、グリップ部６の長さは、手の幅よりも長いことが望ましい。
【００５９】
また、グリップ部６は、ケーブル９の一部を収容する収容部を備えると共に収容部の一方側が開口してなる本体部６ａと、本体部６ａにおける収容部の開口を開閉する開閉部材６ｂと、を備え、開閉部材６ｂが収容部の開口を閉塞している閉塞状態のときに、ケーブル９が本体部６ａと開閉部材６ｂとの間に挟まれて保持され、開閉部材６ｂが収容部の開口を閉塞していない開放状態のときに、本体部６ａ及び開閉部材６ｂによるケーブル９の挟み込みが解除される構成となっている。このようにすることで、ケーブル９を安定的にグリップ部６に固定しておくことができる。更に、ケーブル９を保持する部分の一部が開閉部材６ｂとして構成されているため、ケーブル９の着脱が行いやすくなり、ケーブル９を保持する部分（開閉部材６ｂ）に破損等が生じても、一部部品の交換で済ませやすくなる。
【００６０】
[第２実施形態]
次に、第２実施形態について説明する。
第２実施形態の読取装置２００は、トリガボタン２０３が設けられた点、及びケース３の一部を、トリガボタン２０３を配置するための切欠き構造とした点のみが第１実施形態の読取装置１と異なり、それ以外は第１実施形態の読取装置１と同様の構成となっている。
【００６１】
図１７〜図１９で示す読取装置２００は、少なくともグリップ部６におけるヘッド部５寄りの位置に、押しボタン式のトリガボタン２０３が設けられている。具体的には、ケース３の下面から下方側に突出する構成、且つグリップ部６とヘッド部５との境界に跨る構成で、上述した絞り部７ａが設けられた位置に、上方側に押圧可能な構成でトリガボタン２０３が設けられている。このトリガボタン２０３は、読み取りの開始を指示するための押しボタンとなっており、本構成では、例えばトリガボタン２０３が押された場合に、情報コードＣの撮像が行われ、情報コードＣの読み取りが行われるようになっている。
【００６２】
この構成では、トリガボタン２０３以外の構成は、第１実施形態の特徴を全て備えており、このようにトリガボタン２０３が設けられた構成においてグリップ部６に特徴的な把持対象部７が構成されていれば、握り易さや操作性の向上に加え、トリガボタン２０３の押し易さも向上する。
【００６３】
［他の実施形態］
本発明は上記記述及び図面によって説明した実施形態に限定されるものではなく、例えば次のような実施形態も本発明の技術的範囲に含まれる。
【００６４】
なお、上述したいずれの実施形態の構成も、図２０のような構成を付加することができる。図２０の構成は、柔軟部材８ｂを設けた点が第１実施形態と異なっており、それ以外は第１実施形態と同一の構成となっている。この構成では、グリップ部６におけるヘッド部５とは反対側の先端部寄りに、例えばゴム材料等からなる柔軟部材８ｂが配置されており、当該情報コード読取装置１が所定平面上に載置された場合には、ヘッド部５の先端部と柔軟部材８ｂとが所定平面に接触するように配置されるようになっている。このように柔軟部材８ｂが配置されていれば、グリップ部６の端部を衝撃などから効果的に保護することができ、且つ、装置を平坦部に置くような場合には、装置をより安定的に載置しておくことができる。なお、上述したいずれの実施形態の構成でも、ヘッド部５の先端部には、柔軟材料（例えば、ゴム材料）からなる保護部材８ａが配置されており、情報コード読取装置１が所定平面上に載置された場合には、ヘッド部５の先端側に設けられた保護部材８ａと柔軟部材８ｂとが所定平面に接触するように配置される。また、図２０では、第１実施形態と同一の構成に柔軟部材８ｂを設けた例を具体的に示したが、第２実施形態と同一の構成に柔軟部材８ｂを同様に設けてもよい。
【００６５】
上述した説明では、撮像部２３として横長のラインセンサを例示したが、撮像部２３は、横長のエリアセンサなどとして構成されていてもよい。
【００６６】
上述した説明では、情報コードＣとして一次元バーコードを例示したが、スタック型のバーコードや、ＱＲコード（登録商標）、データマトリックスコード、マキシコードなどの公知の情報コードであってもよい。
【００６７】
上述した説明では、ヘッド部５において、幅が最大幅部の幅Ｗ１の１／２となる位置Ｐ１をヘッド部５とグリップ部６との境界としたが、前後方向と直交する断面外形が横長から縦長に変化する位置を、ヘッド部５とグリップ部６の境界としてもよい。また、上述した説明では延出方向を規定する方法の一例を示しているが、グリップ部６が延びる方向を規定する方法であれば、他の方法を用いて延出方向を規定してもよい。例えば、情報コード読取装置１の前後方向全範囲のうちの後方側の半分の領域が延びる方向をグリップ部６の延出方向として規定してもよい。
【符号の説明】
【００６８】
１…情報コード読取装置
３…ケース
４…読取口
５…ヘッド部
６…グリップ部
６ａ…本体部
６ｂ…開閉部材
７…把持対象部
７ａ…絞り部
８ｂ…柔軟部材
９…ケーブル
２０…回路基板
２３…撮像部
２０３…トリガボタン
【図１】
0006424578.tif 000002
【図２】
0006424578.tif 000003
【図３】
0006424578.tif 000004
【図４】
0006424578.tif 000005
【図５】
0006424578.tif 000006
【図６】
0006424578.tif 000007
【図７】
0006424578.tif 000008
【図８】
0006424578.tif 000009
【図９】
0006424578.tif 000010
【図１０】
0006424578.tif 000011
【図１１】
0006424578.tif 000012
【図１２】
0006424578.tif 000013
【図１３】
0006424578.tif 000014
【図１４】
0006424578.tif 000015
【図１５】
0006424578.tif 000016
【図１６】
0006424578.tif 000017
【図１７】
0006424578.tif 000018
【図１８】
0006424578.tif 000019
【図１９】
0006424578.tif 000020
【図２０】
0006424578.tif 000021